(57)【特許請求の範囲】
【請求項１】
ユニット本体の端部を略垂直方向に折り曲げた垂直辺と、
この垂直辺の端部を略水平方向に折り曲げた水平辺とからなる折曲辺を備え、
前記垂直辺の一部を略コ字状に切欠いた切欠部を、その開放端が水平辺に達するように形成し、又は前記水平辺の一部を略コ字状に切欠いた切欠部を、その開放端が垂直辺に達するように形成することにより、ケーブルを保持するための保持片を形成するとともに、
前記切欠部に挿通される保持部材により、前記保持片上に配置される垂直方向のケーブルまたは水平方向のケーブルのうち、少なくとも一方を保持可能としたことを特徴とするケーブル余長ユニット。
【請求項２】
前記保持片は、
その開放端が垂直辺に位置する第１保持片と、
その開放端が水平辺に位置する第２保持片とからなり、
前記第１保持片の切欠部と前記第２保持片の切欠部とが連通していることを特徴とする請求項１に記載のケーブル余長ユニット。
【請求項３】
前記折曲辺は、ユニット内側方向に折り曲げて形成されていることを特徴とする請求項１または２に記載のケーブル余長ユニット。
【発明の詳細な説明】
【技術分野】
【０００１】
本発明は、余長ケーブルを収納するためのケーブル余長ユニットに関するものである。
【背景技術】
【０００２】
ラック等に段積みされるユニットには、後方から内部に光ケーブルを引き入れた後に、内部で余長をとり、再び後方へと引き出したり、または前方へアダプタ接続するものがある。ここで、ユニット後方から引き入れられる光ケーブルをユニット本体に保持させるために、ユニット本体の底面に切欠部を形成した上で、この切欠部にインシュロック（登録商標）等の結束バンドを挿通させて光ケーブルを固定するものとしている（特許文献１）。
【０００３】
しかしながら、光ケーブルが垂直方向から導入される場合、特許文献２のように別途導入用金具を配設する必要があるため、結果ユニット自体が大型化する問題や、部品点数が多くなる問題があった。
【先行技術文献】
【特許文献】
【０００４】
【特許文献１】特開平１０−２２９２８３号公報
【特許文献２】特開２００５−１４８３２７号公報
【発明の概要】
【発明が解決しようとする課題】
【０００５】
本発明の目的は前記した従来の問題点を解決し、ケーブルの導入方向に関わらず、導入用金具を設ける必要がないケーブル余長ユニットを提供することである。
【課題を解決するための手段】
【０００６】
上記課題を解決するためになされた本発明は、ユニット本体の端部を略垂直方向に折り曲げた垂直辺と、この垂直辺の端部を略水平方向に折り曲げた水平辺とからなる折曲辺を備え、前記垂直辺の一部を略コ字状に切欠いた切欠部を、その開放端が水平辺に達するように形成し、又は前記水平辺の一部を略コ字状に切欠いた切欠部を、その開放端が垂直辺に達するように形成することにより、ケーブルを保持するための保持片を形成するとともに、前記切欠部に挿通される保持部材により、前記保持片上に配置される垂直方向のケーブルまたは水平方向のケーブルのうち、少なくとも一方を保持可能としたことを特徴とするものである。
【０００７】
【０００８】
請求項２記載の発明は、請求項１記載のケーブル余長ユニットにおいて、前記保持片は、その開放端が垂直辺に位置する第１保持片と、その開放端が水平辺に位置する第２保持片とからなり、前記第１保持片の切欠部と前記第２保持片の切欠部とが連通していることを特徴とするものである。
【０００９】
請求項３記載の発明は、請求項１または２に記載のケーブル余長ユニットにおいて、前記折曲辺は、ユニット内側方向に折り曲げて形成されていることを特徴とするものである。
【発明の効果】
【００１０】
本発明に係るケーブル余長ユニットは、ユニット本体の端部を略垂直方向に折り曲げた垂直辺と、この垂直辺の端部を略水平方向に折り曲げた水平辺とからなる折曲辺を備え、前記垂直辺の一部を略コ字状に切欠いた切欠部を、その開放端が水平辺に達するように形成し、又は前記水平辺の一部を略コ字状に切欠いた切欠部を、その開放端が垂直辺に達するように形成することにより、ケーブルを保持するための保持片を形成するとともに、切欠部に挿通される保持部材により、保持片上に配置される垂直方向のケーブルまたは水平方向のケーブルのうち少なくとも一方を保持可能としたものである。これにより、ケーブルが垂直方向から導入される場合でも、このケーブルを保持片上に垂直のまま保持した上で、結束バンドにより固定可能となるため、ケーブルの結束が容易となると同時に、従来から用いていた導入用金具も不要となる。
【００１１】
また本発明によれば、切欠部を折曲辺に亘って形成することで、保持片も折曲辺に亘って略Ｌ字状に形成することができ、これにより、垂直方向または水平方向の何れの方向にケーブルを保持する場合でも、ケーブル保持部材によって保持片にケーブルを結束させた状態から、ケーブル導入方向への保持部材の脱落を防止することができるものとなる。
【００１２】
請求項２に係る発明によれば、保持片は、その開放端が垂直辺に位置する第１保持片と、その開放端が水平辺に位置する第２保持片とからなるものとし、さらに第１保持片の切欠部と第２保持片の切欠部とを連通させるものとしている。これにより、折曲辺により多くの保持片を形成することができ、複数のケーブルを保持可能となる。さらに、第１保持片と第２保持片とが、切欠部を共有して隣接配置されることとなるため、一方の保持片（第１保持片または第２保持片）に保持部材を挿通した際に、他方の保持片（第２保持片または第１保持片）が保持部材をガイドしつつ仮保持できるものとなる。
【００１３】
請求項３に係る発明によれば、折曲辺をユニット内側方向に折り曲げて形成されるものとすることで、ユニット内部で余長をとったケーブルの広がりを押さえることができる。
【図面の簡単な説明】
【００１４】
【図１】本実施形態の全体斜視図である。
【図２】第１保持片の切欠部への結束バンド挿入時を示す斜視図である。
【図３】結束バンド挿入後を示す斜視図である。
【図４】ケーブルを第１保持片上に載置した際の斜視図である。
【図５】第２保持片の切欠部への結束バンド挿入時を示す斜視図である。
【図６】結束バンドによりケーブルを垂直方向に保持した状態を示す斜視図である。
【図７】折曲辺によりケーブルを押えた状態を示す斜視図である。
【図８】実施形態２を示す斜視図とユニット本体の底面を示す斜視図である。
【図９】実施形態３を示す斜視図である。
【図１０】実施形態４を示す斜視図である。
【図１１】実施形態５を示す斜視図である。
【発明を実施するための形態】
【００１５】
以下に本発明の好ましい実施形態を示す。
なお、本明細書において上下、前後方向は図１に示す方向を指すものとする。
図１において、ケーブル余長ユニット１は、図示しないラックのマウントアングルに固定部２を介して固定されるものであり、後方や側方からその内部にケーブル３が引き入れられた後に、ユニット内部で余長をとり、再び後方へと引き出したりまたは前方へアダプタ接続するものである。またケーブル３は、金属板を折り曲げて形成したユニット本体４に対して、保持部材である結束バンド５により固定される。本発明においては、ケーブル３はユニット本体４に形成した保持片６上に載置された上で、図１のように結束バンド５により保持されるものとしているが、その詳細について以下に説明する。なお、保持部材は結束バンド５の他にマジックテープ（登録商標）であっても差し支えないものである。
【００１６】
図２に示すように、ユニット本体４には、その端部を略垂直上向き方向に折り曲げて形成した垂直辺８と、この垂直辺８の端部を略水平内側方向に折り曲げて形成した水平辺９とからなる垂直断面略Ｌ字状の折曲辺７が設けられている。また、垂直辺８及び水平辺９の一部をそれぞれ略コ字状に切り欠くことにより各々に切欠部１０を形成するとともに、この切欠部１０を形成することで、前述のようにケーブル３を保持するための保持片６を構成するものとしている。
【００１７】
より詳細には、各々の切欠部１０を折曲辺７に亘って形成して、その開放端が垂直辺８に位置する垂直断面略Ｌ字状の第１保持片６ａと、その開放端が水平辺９に位置する垂直断面略Ｌ字状の第２保持片６ｂとにより保持片６を構成するものとしている。さらにこれら第１保持片６ａと第２保持片６ｂとを折曲辺７の前後方向に亘って隣接して配置するものとした。したがって、第１保持片６ａはその基端側が水平辺９に位置しておりケーブル３を水平方向に保持可能であり、また反対に第２保持片６ｂはその基端側が垂直辺８に位置しておりケーブル３を垂直方向に保持可能である。
【００１８】
以上の構成により、ケーブル３が水平方向から導入される場合には、図３のように、結束バンド５を第１保持片６ａの開放端の下方から切欠部１０に挿通した上で、図４のようにケーブル３を第１保持片６ａの基端側に載置して、結束バンド５による固定を行う。これにより、水平方向から導入されるケーブル３を保持片６上に保持することができる。
【００１９】
また、ケーブル３が垂直方向から導入される場合には、図５に示すように、結束バンド５を第２保持片６ｂの開放端の内側から切欠部１０に挿通した上で、図６のようにケーブル３を第２保持片６ｂの基端側に載置して、結束バンド５による固定を行う。これにより、垂直方向から導入されるケーブル３を保持可能となる。
【００２０】
以上のように、切欠部１０に挿通される結束バンド５により、保持片６上に配置される垂直方向のケーブル３または水平方向のケーブル３のうち少なくとも一方を保持可能としている。これにより、ケーブル３が垂直方向から導入される場合でも、このケーブル３を保持片６上に垂直のまま保持した上で、結束バンド５等の保持部材により固定可能となるため、ケーブル３の結束が容易となると同時に、従来から用いていた導入用金具も不要となる。
【００２１】
また、本実施形態のように、切欠部１０が折曲辺７に亘って形成されるものとすることで、第１保持片６ａ及び第２保持片６ｂを折曲辺７に亘って略Ｌ字状に形成することができる。これにより、垂直方向または水平方向にケーブル３を保持させた場合に、仮にケーブル３が引っ張られても、結束バンド５が略Ｌ字状に形成した第１保持片６ａと第２保持片６ｂとに当接することとなるので、結束バンド５により保持片６にケーブル３を結束させた状態から、ケーブル導入方向への結束バンド５の脱落を防止することができるものとなる。
【００２２】
さらに図２のように、第１保持片６ａの切欠部１０と第２保持片６ｂの切欠部１０とが、連通部１０ａにより連通するものとしている。このように、互いの切欠部１０の一部を共有することで、折曲辺７に、より多くの保持片６を形成することができるため複数のケーブル３を保持可能となり、またケーブル３導入場所の調整が可能となる。さらに、第１保持片６ａと第２保持片６ｂとが隣接配置されることとなるため、一方の保持片（第１保持片６ａ）に結束バンド５を挿通した際には、図３のように他方の保持片（第２保持片６ｂ）の側面と折曲辺７の側面とが結束バンド５をガイドしつつ仮保持できるものとなる。これにより、保持部材が結束バンド５のように硬度が高い材質により構成されている場合、結束バンド５が図３のように斜めに変形された状態で仮保持されるため、結束バンド５の結束作業性がより向上することとなる。
【００２３】
また、本実施形態では、折曲辺７をユニット内側方向に折り曲げて形成するものとして、図７のようにユニット本体４内部で余長をとった余長ケーブル３ａの広がりを押さえることができるものとしている。さらに、このように内側方向に折り曲げることで、後述する実施形態３（外側方向に折り曲げて折曲辺７を構成する実施形態）と比較して、折り曲げ回数を少なくすることができる。なお、折曲辺７を構成する垂直辺８は略垂直上向き方向に折り曲げられ、また水平辺９は略水平内側方向に折り曲げられて形成されているが、必ずしも垂直及び水平に限定されず、例えば多少の角度を持たせて傾けても差し支えない。
【００２４】
（実施形態２）
図８には実施形態２を示す。
この実施形態では、第１保持片６ａの切欠部１０に対する結束バンド５の挿入を容易なものとするために、切欠部１０をユニット本体４の底面にまで亘って形成するものとしている。これにより、底面側、即ち下方から結束バンド５を切欠部１０に挿入することができるため、作業性が向上する。またこの実施形態は、折曲辺７を大きく形成することができず切欠部１０を充分に確保できない場合等において、特に有用となる。
【００２５】
（実施形態３）
図９には実施形態３を示す。
この実施形態では、ユニット本体４の端部を略垂直上向き方向に折り曲げ、さらにその端部を略水平外側方向に折り曲げて形成した水平辺９と、水平辺９の端部を略垂直下向き方向に折り曲げて形成した垂直辺８と、垂直辺８の端部を略水平内側方向に折り曲げて形成した平行辺１１とにより、折曲辺７を構成するものとしている。この場合、平行辺１１にまで亘って切欠部１０を形成するものとし、これにより実施形態２と同様、第１保持片６ａの切欠部１０に対する結束バンド５の挿入が容易となる。
【００２６】
（実施形態４）
なお図１０に示す実施形態４のように、切欠部１０の一部を共有することなく、第１保持片６ａ、第２保持片６ｂをそれぞれ独立して形成しても差し支えない。
【００２７】
（実施形態５）
図１１には実施形態５を示す。
この実施形態では、切欠部１０を折曲辺７に亘って形成せずに、垂直辺８にのみ、または水平辺９にのみ切欠部１０を形成するものとしている。この実施形態では、垂直辺８に略コ字状の切欠部１０を形成することにより構成した第１保持片６ａにより、ケーブル３を垂直方向に保持可能とし、また水平辺９に形成した第２保持片６ｂによりケーブル３を水平方向に保持可能としている。このような構造によっても、保持片６上に配置される垂直方向のケーブル３または水平方向のケーブル３のうち少なくとも一方を保持可能としている。なお、この実施形態では結束バンド５の脱落を防止するために、各保持片６の開放端の下方または内側の切欠部１０よりも幅広な結束バンド５を用いることが好ましい。
【符号の説明】
【００２８】
１  ケーブル余長ユニット
２  取付部
３  ケーブル
３ａ  余長ケーブル
４  ユニット本体
５  結束バンド
６  保持片
６ａ  第１保持片
６ｂ  第２保持片
７  折曲辺
８  垂直辺
９  水平辺
１０  切欠部
１０ａ  連通部
１１  平行辺
【図１】
0006602166.tif 000002
【図２】
0006602166.tif 000003
【図３】
0006602166.tif 000004
【図４】
0006602166.tif 000005
【図５】
0006602166.tif 000006
【図６】
0006602166.tif 000007
【図７】
0006602166.tif 000008
【図８】
0006602166.tif 000009
【図９】
0006602166.tif 000010
【図１０】
0006602166.tif 000011
【図１１】
0006602166.tif 000012